(57)【特許請求の範囲】
【請求項１】
三角柱状の被包装物の二つの三角状表面と一つの矩形表面とがシートの本体部で覆われ、前記被包装物の他の二つの矩形表面が前記シートの対向し且つ重ねられた重合部が形成される周辺部で覆われ、隣り合う前記矩形表面の稜線に沿って外側に延びるように前記シートが重ねられた三つのフィンが形成され、前記稜線に沿った部分において前記フィンにはヒートシールによって第１シール部が形成され、前記重合部には前記第１シール部間にわたって全長的に延びるヒートシールによって第２シール部が形成されており、更に一つの前記フィンを残して、二つの前記フィンが互いに重なることなく同一の前記矩形面上の前記シートに折り畳まれ且つ付着されていることから成るシート包装体。
【請求項２】
前記残された一つのフィンには、易開封用のノッチが形成されていることから成る請求項１に記載のシート包装体。
【請求項３】
前記被包装物の同一の矩形表面を覆い且つ前記二つのフィンが折り畳まれ且つ付着される前記シートは、前記重合部において前記第２シール部が形成されている前記二つの矩形表面の一方であることから成る請求項１又は２に記載のシート包装体。
【請求項４】
前記二つのフィンの付着は、前記第２シール部の形成のための前記ヒートシールを折り畳まれた状態の前記二つのフィンを通して施すことにより、行われることから成る請求項３に記載のシート包装体。
【請求項５】
前記被包装物は、サンドイッチ等の食品であることから成る請求項１〜４のいずれか１項に記載のシート包装体。
【発明の詳細な説明】
【０００１】
【発明の属する技術分野】
この発明は、サンドイッチ等の三角柱状の被包装物をシート状包装材で包装したシート包装体に関する。
【０００２】
【従来の技術】
従来、サンドイッチ、パンケーキ等の三角柱状食品を被包装物とする包装体２０は、図３及び図４に示すように、一端２２がシール３０によって封止され且つ他端２３が開口し、前記一端から前記他端に向かうに従ってシールすることで形成された両側縁２４，２４間の幅が次第に広がるように予め製作した袋２１を用いた袋包装体であった。開口した他端２３から被包装物が挿入された袋２１は、開口部の周囲４辺から延びるフラップ２５，２６，２７，２８のうち、まず、互いに対向する２片のフラップ２５と２６が折り畳まれ、次に残る２片のフラップ２７と２８が互いに折り畳まれ、最後に、重ね合わせたフラップが粘着テープ２９によって封止される。途中、フラップ２８が折り畳まれた状態が図４に示されている。このように、既成の袋２１に被包装物を挿入し、フラップ２５〜２８を折り畳み、粘着テープ２９によって封止することで、図３に完成状態で示される袋包装体が得られていた。
【０００３】
【発明が解決しようとする課題】
しかしながら、かかる従来の袋包装体２０は、開口端の周囲に形成された４辺のフラップ２５〜２８を折り畳んで、部分的に粘着テープ２９によって押さえただけであるので、袋の内部に収容された被包装物が外部から完全に封止されていない。したがって、図３に３１で示すような僅かに開いたフラップの隙間を通じて、雨水や飲み物のような液体、小さな虫、塵埃等の異物が侵入するおそれがある。また、被包装物が、例えばサンドイッチのように湿分を保つ必要がある場合に、上記僅かに開いたフラップの隙間を通じて、被包装物の湿分が外部に放散されて被包装物が乾燥するおそれもある。更に、フラップを折り畳んで粘着テープ２９によって押さえる必要上、対向するフラップ同士が互いに重なる程度まで大きくする必要があり、袋の製作上、多くの包装材料が必要であった。
【０００４】
このように、サンドイッチのような食品を被包装物とする包装体において、外部から上記のような異物の侵入は、食品の衛生上の観点からあってはならぬことであり、また、被包装物の湿分を保つことが好ましい。更に、サンドイッチは近年大量に製造される関係上、包装材の消費量も必然的に急増している。省資源、包装体開封後の使用済み包装材のゴミ処理の観点からも、包装に必要な包装材料を極力少なくすることが望まれている。したがって、三角柱状物品を被包装物とする包装体においては、必要な包装材を可及的に少なくし且つ外部からの異物の侵入と内部からの湿分の放散とを防止することができるようにするという課題が残されている。
【０００５】
【課題を解決するための手段】
この発明の目的は、上記課題を解決することであり、シート包装材を用いて三角柱状の被包装物を包み、被包装物の周りに包装材によって形成されるフィンや重合部をシールによって封止することにより、外部からの液体、虫、塵埃等の異物の包装体内部への侵入と内部からの湿分の放散とを防止すると共に、包装材の使用量を可及的に少なくすることができるシート包装体を提供することである。
【０００６】
この発明は、上記の目的を解決するため、以下のように構成されている。即ち、この発明は、三角柱状の被包装物の二つの三角状表面と一つの矩形表面とがシートの本体部で覆われ、前記被包装物の他の二つの矩形表面が前記シートの対向し且つ重ねられた重合部が形成される周辺部で覆われ、隣り合う前記矩形表面の稜線に沿って外側に延びるように前記シートが重ねられた三つのフィンが形成され、前記稜線に沿った部分において前記フィンにはヒートシールによって第１シール部が形成され、前記重合部には前記第１シール部間にわたって全長的に延びるヒートシールによって第２シール部が形成されており、更に一つの前記フィンを残して、二つの前記フィンが互いに重なることなく同一の前記矩形面上の前記シートに折り畳まれ且つ付着されていることから成っている。
【０００７】
この発明によるシート包装体によれば、シートが重ねられた三つのフィンのいずれもが第１シール部によってフィンの根元位置である稜線に沿った部分においてヒートシールされており、二つの重合部は隣り合う第１シール部間にわたって全長的に延びるヒートシールである第２シール部によって封止されている。したがって、被包装物の周囲はシートによって完全に覆われるとともに、三つのフィンはすべて第１シール部によって封鎖され二つの重合部はすべての領域で第２シール部によって封鎖されているので、外部からフィンや重合部を通しての包装体内部への異物の侵入と内部からの湿分の放散とが封じられ、被包装物の衛生が保たれ、且つ被包装物の乾燥も防止される。シートの大きさとしては、シールに要する領域を有していれば充分であるので、使用する包装材の量を最小限に抑えられる。
【０００８】
前記シート包装体において、前記第２シール部は、第１シール部間にわたって全長的に形成されている。第２シール部は第１シール部間にわたって全長的に形成することにより、重合部を通じての外部からの異物の侵入を完全に防止することができる。
【０００９】
また、前記シート包装体において、前記第１シール部及び前記第２シール部は、ヒートシールによって形成されている。被包装物に熱の影響が出ない程度の熱を加えることにより、前記第１シール部及び前記第２シール部の形成が簡単に行われ、且つ形成された各シール部のシールが良好に維持される。
【００１０】
また、前記シート包装体において、前記シートは、熱溶着性とすることができ、熱溶着性の樹脂材料から形成されるか、或いは、例えば、シートの母材の種類によっては、シートのヒートシールすべき箇所に、予め加熱溶着性の樹脂材料を塗布しておくこともできる。また、前記シートを、加熱溶着性の樹脂材料がコーティングされた樹脂シートとすることもできる。
【００１１】
また、前記シート包装体において、前記フィンは、少なくとも一つのフィンを残して、矩形面上のシートに折り畳んで、付着される。少なくとも一つのフィンは、シート包装体を取り出すときの把持部として利用することが可能となる。前記二つのフィンを折り畳んで且つ付着する先の前記シートは、前記重合部において前記第２シール部が形成されている前記二つの矩形表面の一方を覆う前記シートとすることができる。この場合、シートの本体部で覆われた一つの矩形表面はフィンで覆われることがないので、当該一つの矩形表面の利用に支障は生じない。
【００１２】
また、前記シート包装体において、二つのフィンを同一の矩形面上に折り畳み、前記二つのフィンを前記矩形面上のシートに対する付着をヒートシールによって行うことによって、二つのフィンのシール止めと第２シールとが一度に施される。即ち、前記二つのフィンの付着は、前記第２シール部の形成のための前記ヒートシールを折り畳まれた状態の前記二つのフィンを通して施すことにより、行われる。このようなシート包装体において、フィンが邪魔にならず、またフィンが付着される矩形面が一つに限定され、簡素な外観とすることができる。更に、前記残された少なくとも一つのフィンには、開封用のノッチを形成することもできる。
【００１３】
更に、前記シート包装体において、前記被包装物はサンドイッチ等の食品とすることができる。更にまた、矩形面上の前記シートに折り畳まれる前記フィン同士は互いに重ならなくすることが好ましい。このシート包装体によれば、フィンは互いに重なるほど広くはないので、シート包装材を節約することができる。
【００１４】
【発明の実施の形態】
以下、添付図面を参照しつつ、この発明によるシート包装体の実施例を説明する。図１はこの発明による完成したシート包装体の一実施例を示す斜視図であり、図２は図１に示すシート包装体の完成途上の状態を示す斜視図である。
【００１５】
図１に示されているシート包装体１は、サンドイッチ等の被包装物を一枚の包装シート２に包んだ包装体である。被包装物は全体として三角柱状の形状をしており、被包装物の互いに反対方向を向いた面Ｓ１及び面Ｓ２が三角形状であり、面Ｓ１と面Ｓ２とをつなぐ周状に連なる三つの面Ｓ３〜Ｓ５が矩形表面となっている。
【００１６】
包装シート２は、二軸延伸ポリプロピレン等の伸延性の低い樹脂フィルムを母材としており、低温度でのヒートシール性を高めるために、シール温度の低いシール材でコーティングされている。包装シート２の包装前の当初の形状は、完成した包装体での重合部分が可能な限り少なくなるように、例えば４隅をカットしたものとすることができる。
【００１７】
まず、図１に示すシート包装体１の完成途上の状態を示す図２の記載に基づいて説明する。図２に示す完成途上の包装体は、被包装物の三角形状の表面Ｓ１及びＳ２を横に向け、且つ矩形表面Ｓ３を底面とした状態にあり、包装シート２は、表面Ｓ１、Ｓ２及びＳ３を完全に覆った状態にある。包装シート２の周辺部３及び４は、被包装物の矩形表面Ｓ４上に折り込まれて矩形表面Ｓ４を覆い、重合部７を形成して繋がれている。また、包装シート２の周辺部５及び６は、被包装物の矩形表面Ｓ５上に折り込まれて矩形表面Ｓ５を覆い、重合部８を形成して繋がれている。
【００１８】
包装シート２の周辺部３〜６の端部及び中央部は、被包装物の矩形表面Ｓ３とＳ４とが交差する稜線Ｌ１、矩形表面Ｓ４とＳ５とが交差する稜線Ｌ２、及び矩形表面Ｓ５とＳ３が交差する稜線Ｌ３からそれぞれ外側に延びて折り畳まれた状態にあり、フィン９，１０，１１を形成している。フィン９，１０，１１には、稜線Ｌ１〜Ｌ３に沿った部分においてヒートシールが施され第１シール部１２〜１４が形成されており、フィン９，１０，１１は第１シール部１２〜１４によって包装体内部に対して封じられている。重合部７，８には、それぞれヒートシールによって第１シール部１２、１３間及び第１シール部１３、１４間に渡って全長的に第２シール部１５，１６が形成されており、重合部７，８は第２シール部１５，１６によって包装体内部に対して封じられている。被包装物がサンドイッチの場合、稜線Ｌ２に対応する部分の角度は略直角であり、稜線Ｌ１に対応する部分の角度が最も鋭角となっている。フィン９は、例えば、店頭に陳列した状態のシート包装体１を取り出すための、摘まみ部として、そのままの状態とされる。また、フィン９に、開封用のノッチ１７，１７を形成しておくと、ノッチ１７，１７から包装シート２を引き裂いて、被包装物を容易に取り出すことができる。
【００１９】
フィン１０，１１は、図１に示すように、矩形表面Ｓ５上に互いに向かい合うように折り込まれており、その状態でフィン１０，１１と重合部８とに対して一括してヒートシールが施されて、第２シール部１６が形成されている。即ち、二つのフィン１０，１１は、重合部８における第２シール部１６の形成のためのヒートシールを、折り畳まれた状態の二つのフィン１０，１１を通して施すことにより、矩形表面Ｓ５を覆うシート（重合部８）に対して付着される。重合部８に形成される第２シール部１６により、外部からの異物の侵入と内部からの湿分の放散のおそれは既に無いので、従来のフラップのように、包装体の封鎖のためにフィン１０，１１を互いに重ね合わせる程に大きく形成する必要はない。そのため、フィン１０，１１は、図面上、相当大きく描かれているが、第１シール部１３，１４を施すのに必要な領域を有していれば充分であり、シート包装体１は、包装材を節約する包装体となっている。また、被包装物をサンドイッチとした場合には、矩形表面Ｓ５は、陳列状態では底部となり、矩形表面Ｓ５にヒートシールされるフィン１０，１１は包装体１の底部を強化することができる。シートの本体部で覆われる矩形表面Ｓ３にはフィン１０，１１や第２シール部１５，１６がまったく係わらないので、食パンに挟んだ内容物の確認を支障なく行うことができると共にデザインや表示としての利用にも支障がなく、矩形表面Ｓ５を陳列台の棚面の載せることで、外観上も簡素なものとなる。
【００２０】
以上のように、第１シール部１２〜１４及び第２シール部１５，１６を形成することにより、フィン９〜１１からの、塵埃、雨水、小さな虫等の異物の侵入と内部からの湿分の放散とは、それぞれフィン９〜１１を封じる第１シール部１２〜１４で阻止される。また、重合部７，８からの、これら異物の侵入と湿分の放散とは、それぞれ隣り合う第１シール部１２〜１４間に渡って全長的な第２シール部１５，１６によって阻止される。したがって、被包装物がサンドイッチ等の食品である場合には、シート包装体１の外部からの異物の侵入と内部からの湿分の放散とを防止し、食品の乾燥を防ぎつつ衛生状態を保つことができる。また、三つすべてのフィン９〜１１は稜線に沿って第１シール部１２〜１４でシールされているので、被包装物と稜線Ｌ１〜Ｌ３との間には隙間が生じることがなく、それゆえ被包装物がシート内で動くことのないタイトなシート包装物が得られる。
【００２１】
以上、この発明によるシート包装体１の実施例を説明したが、この発明は、上記実施例に限られることはなく、種々の変更が可能である。例えば、シート材は、シール材をコーティングした樹脂シートとして説明したが、これに限ることなく、所定の箇所にのみシール材を塗布した他の種類のシートであってもよい。更に、矩形表面Ｓ１〜Ｓ３、特にＳ３には、ヒートシールが何ら施されないので、この矩形面を利用して、内容物に関する記載（例えば、日付、保証期間、説明等）があるラベルを貼着することができる。
【００２２】
【発明の効果】
この発明は、上記のように構成されているので、次のような効果を奏する。即ち、この発明によるシート包装体は、三角柱状の被包装物の二つの三角状表面と一つの矩形表面とをシートの本体部で覆い、被包装物の他の二つの矩形表面をシートの対向し且つ重ねられた重合部が形成される周辺部で覆い、隣り合う矩形表面が交差する稜線に沿って外側に延びるようにシートが重ねられた三つのフィンを形成し、稜線に沿った部分においてフィンにはヒートシールによって第１シール部を形成し、隣り合う第１シール部間の重合部にはそれらの全長にわたって第２シール部を形成したので、外部からフィンや重合部を通しての包装体内部への異物の侵入と内部から外部への湿分の放散とが封じられ、被包装物の衛生が保たれる。また、フィンは第１シール部によって稜線に沿ってシールされているため、被包装物をシートの内部に無駄な隙間のないタイトな包装が得られる。更に一つのフィンを残して、二つのフィンが互いに重なることなく同一の矩形面上の前記シートに折り畳まれ且つ付着されているので、シートは、被包装物を覆う以外、シールに要する領域を有していれば充分であり、フィンの大きさは互いに折り重なる程度まで広くされておらず、使用する包装材の量を最小限に抑えられる。また、フィンが折り畳まれる先の矩形表面は一つの矩形面上に限られているので、外観上もシンプルであるが確実な封鎖が得られる包装体とすることができる。
【図面の簡単な説明】
【図１】この発明によるシート包装体の一実施例を示す斜視図である。
【図２】図１に示されたシート包装体の完成途上の一状態を示す斜視図である。
【図３】従来の袋包装体の一例を示す斜視図である。
【図４】図３に示された袋包装体の完成途上の一状態を示す斜視図である。
【符号の説明】
１  シート包装体
２  包装シート
３〜６  周辺部
７，８  重合部
９〜１１  フィン
１２〜１４  第１シール部
１５，１６  第２シール部
１７  ノッチ
Ｓ１，Ｓ２  三角形状の面
Ｓ３〜Ｓ５  矩形面
Ｌ１〜Ｌ３  稜線
【図１】
0003868051.tif 000002
【図２】
0003868051.tif 000003
【図３】
0003868051.tif 000004
【図４】
0003868051.tif 000005